Podtech/llm-jp-corpus-v4-ja_patent huggingface dataset:
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
ガラス筐体と、
前記ガラス筐体内の発光パネルと、
端子電極とを有し、
前記発光パネルは、可撓性基板と、前記可撓性基板上の第１電極と、前記第１電極上のＥＬ層と、前記ＥＬ層上の第２電極と、を有し、
前記第１電極は、前記端子電極を介して、外部電源と電気的に接続されることを特徴とする照明装置。
【請求項２】
曲面を有するガラス筐体と、
前記ガラス筐体内の発光パネルと、
端子電極とを有し、
前記発光パネルは、可撓性基板と、前記可撓性基板上の第１電極と、前記第１電極上のＥＬ層と、前記ＥＬ層上の第２電極と、を有し、
前記第１電極は、前記端子電極を介して、外部電源と電気的に接続され、
前記発光パネルは、前記ガラス筐体の曲面に沿って曲面を有することを特徴とする照明装置。
【請求項３】
請求項２において、
前記発光パネルの光放射面は該曲面に沿って設けられることを特徴とする照明装置。
【請求項４】
請求項１乃至請求項３のいずれか一において、
前記ガラス筐体内には、複数の発光パネルが設けられることを特徴とする照明装置。
【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
活性層、ゲート下部電極とゲート上部電極とを含むゲート電極、ソース電極及びドレイン電極を含む薄膜トランジスタと、
前記薄膜トランジスタと電気的に連結され、前記ゲート下部電極と同一層に、同一物質で形成された画素電極、発光層を含む中間層、及び対向電極が順次積層された有機発光素子と、
前記ゲート下部電極と同一層に、同一物質で形成される第１パッド電極と、
前記第１パッド電極の少なくとも一部上に形成され、前記ゲート上部電極と同一層に、同一物質で形成される第２パッド電極と、
前記第２パッド電極の少なくとも一部とコンタクトするように形成され、前記ソース電極及びドレイン電極と同一層に、同一物質で形成される第３パッド電極と、を含む有機発光ディスプレイ装置。
【請求項２】
前記第２パッド電極と前記第３パッド電極との間に介在される層間絶縁膜をさらに含み、
前記層間絶縁膜に形成されたコンタクトホールを介して、前記第２パッド電極と前記第３パッド電極とがコンタクトすることを特徴とする請求項１に記載の有機発光ディスプレイ装置。
【請求項３】
前記層間絶縁膜は、前記第２パッド電極の一端部を露出させ、
前記第３パッド電極は、前記層間絶縁膜に沿って形成され、前記露出された第２パッド電極の一端部とコンタクトすることを特徴とする請求項２に記載の有機発光ディスプレイ装置。
【請求項４】
前記第３パッド電極の両端部が、前記第２パッド電極の両端部にそれぞれコンタクトするように形成されることを特徴とする請求項１に記載の有機発光ディスプレイ装置。
【請求項５】
前記ゲート上部電極及び前記第２パッド電極は、Ａｇ、Ｍｇ、Ａｌ、Ｐｔ、Ｐｄ、Ａｕ、Ｎｉ、Ｎｄ、Ｉｒ、Ｃｒ、Ｌｉ、Ｃａ、Ｍｏ、Ｔｉ、Ｗ、ＭｏＷ、及びＡｌ−Ｃｕのなかから選択された一つ以上の物質を含み、
前記ゲート上部電極及び前記第２パッド電極は、Ｍｏ−Ａｌ−Ｍｏの３層構造を含むように形成されることを特徴とする請求項１に記載の有機発光ディスプレイ装置。
【請求項６】
前記ソース電極及びドレイン電極と前記第３パッド電極は、Ａｇ、Ｍｇ、Ａｌ、Ｐｔ、Ｐｄ、Ａｕ、Ｎｉ、Ｎｄ、Ｉｒ、Ｃｒ、Ｌｉ、Ｃａ、Ｍｏ、Ｔｉ、Ｗ、ＭｏＷ、Ａｌ−Ｃｕのうち選択された一つ以上の物質を含み、
前記ソース電極及びドレイン電極と前記第３パッド電極は、Ｍｏ−Ａｌ−Ｍｏの３層構造を含むように形成されることを特徴とする請求項１に記載の有機発光ディスプレイ装置。
【請求項７】
基板上に薄膜トランジスタの活性層を形成する第１マスク工程段階と、
前記活性層の上部に、ゲート電極、第１パッド電極及び第２パッド電極、並びに画素電極を形成するための電極パターンをそれぞれ形成する第２マスク工程段階と、
前記活性層の両側と、前記第２パッド電極の一部と、前記電極パターンの一部とを露出させる開口を有する層間絶縁膜を形成する第３マスク工程段階と、
前記活性層の露出された両側とコンタクトするソース及びドレイン電極、前記第２パッド電極の露出された一部とコンタクトする第３パッド電極、及び前記画素電極をそれぞれ形成する第４マスク工程段階と、
前記画素電極の少なくとも一部を露出させる画素定義膜を形成する第５マスク工程段階と、を含むことを特徴とする有機発光ディスプレイ装置の製造方法。
【請求項８】
前記第４マスク工程は、
前記層間絶縁膜上部に、第３導電層を蒸着する段階と、
前記第３導電層をパターニングし、前記ソース及びドレイン電極と、前記第３パッド電極とを形成する段階と、を含むことを特徴とする請求項７に記載の有機発光ディスプレイ装置の製造方法。
【請求項９】
前記層間絶縁膜に形成されたコンタクトホールを介して、前記第２パッド電極と前記第３パッド電極とがコンタクトすることを特徴とする請求項８に記載の有機発光ディスプレイ装置の製造方法。
【請求項１０】
前記層間絶縁膜は、前記第２パッド電極の一端部を露出させ、
前記第３パッド電極は、前記層間絶縁膜に沿って形成され、前記露出された第２パッド電極の一端部とコンタクトすることを特徴とする請求項９に記載の有機発光ディスプレイ装置の製造方法。
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
光源モジュール部の一部を収容する第１開口部及び光源駆動部の一部を収容する第２開口部が形成された本体部と、
前記第１開口部に配置される第１端子、及び前記第１端子から延長されて前記第２開口部に配置される第２端子を含む端子部と、を含むことを特徴とする光源モジュール用コネクタ。
【請求項２】
前記第１開口部は前記本体部の上面に形成され、
前記第２開口部は前記上面に直交する前記本体部の側面に形成されることを特徴とする請求項１に記載の光源モジュール用コネクタ。
【請求項３】
前記第１開口部は第１開口及び第２開口を含むことを特徴とする請求項２に記載の光源モジュール用コネクタ。
【請求項４】
前記第１開口部は前記本体部の少なくとも１つの側面に形成され、
前記第２開口部は前記第１開口部が形成された側面に直交する他の側面に形成されることを特徴とする請求項１に記載の光源モジュール用コネクタ。
【請求項５】
前記第１開口部は第１側面に配置される第１開口及び前記第１側面と対向する第２側面に配置される第２開口を含むことを特徴とする請求項４に記載の光源モジュール用コネクタ。
【請求項６】
前記本体部の上部は前記本体部の下部に比べて平面方向の形状が大きいことを特徴とする請求項１に記載の光源モジュール用コネクタ。
【請求項７】
前記本体部の下部は前記下部の側面から突出する固定部材をさらに含むことを特徴とする請求項１に記載の光源モジュール用コネクタ。
【請求項８】
前記第１端子は前記光源モジュール部の前記一部の一面に接触し、
前記第２端子は前記光源駆動部の前記一部の両面に接触することを特徴とする請求項１に記載の光源モジュール用コネクタ。
【請求項９】
光源基板及び前記光源基板上に配置される複数の発光ダイオードを含む光源モジュール部と、
前記光源モジュール部の下方に配置されて、前記光源モジュール部を収容するボトムシャーシと、
前記ボトムシャーシの底面と向かい合うように配置されて、前記光源モジュール部を駆動する光源駆動部と、
前記光源モジュール部の一部を収容する第１開口部及び光源駆動部の一部を収容する第２開口部が形成された本体部、及び前記第１開口部に配置される第１端子、及び前記第１端子から延長されて前記第２開口部に配置される第２端子を含む端子部を含むコネクタと、を含むことを特徴とするバックライトアセンブリ。
【請求項１０】
前記光源モジュール部は、
前記発光ダイオードが配置される光源部と、
前記光源部から延長されて、前記発光ダイオードを駆動するための入力端子が配置される光源端子部を含むことを特徴とする請求項９に記載のバックライトアセンブリ。
【手続補正２】
【補正対象書類名】明細書
【補正対象項目名】００１９
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正書】
【提出日】平成26年10月6日(2014.10.6)
【手続補正１】
【補正対象書類名】明細書
【補正対象項目名】発明の名称
【補正方法】変更
【補正の内容】
【発明の名称】照明装置
【手続補正２】
【補正対象書類名】特許請求の範囲
【補正対象項目名】全文
【補正方法】変更
【補正の内容】
【特許請求の範囲】
【請求項１】
面状の発光体と、
弾性を備え、互いに対向して配置された第１の固定具と第２の固定具と、
前記発光体を駆動する電源回路と、
開閉器と、を有し、
前記発光体は、有機ＥＬ素子と、第１の係止め部と、第２の係止め部と、を有し、
前記有機ＥＬ素子は、第１の電極と第２の電極の間に発光性の有機物を含む層を有し、
前記第１の係止め部は前記有機ＥＬ素子の第１の電極と電気的に接続された第１の端子を有し、
前記第２の係止め部は前記有機ＥＬ素子の第２の電極と電気的に接続された第２の端子を有し、
前記第１の端子が前記第１の固定具に設けた第１の接点と電気的に接続するように前記第１の係止め部を前記第１の固定具に係止め、
前記第２の端子が前記第２の固定具に設けた第２の接点と電気的に接続するように前記第２の係止め部を前記第２の固定具に係止め、
前記第１の固定具と前記第２の固定具に支持された前記発光体が、前記開閉器に検知され、
前記電源回路が前記第１の接点及び第２の接点に電力を供給可能にする照明装置。
【請求項２】
第１の接点を備える第１の固定具と、
第２の接点を備える第２の固定具と、
発光体を駆動する電源回路と、
前記発光体が固定されたことを検知する開閉器と、を有し、
前記第１の固定具と前記第２の固定具は前記発光体の端部を挟持するように対向して設けられ、
前記電源回路は前記開閉器を介して、前記第１の接点及び前記第２の接点に前記発光体の駆動用電力を供給する、照明装置。
【請求項３】
前記発光体の光を取り出す側の背面に前記第１の係止め部と前記第２の係止め部を有し、
前記発光体に重ねて前記第１の固定具と前記第２の固定具が設けられた請求項１記載の照明装置。
【請求項４】
前記第１の固定具と前記第２の固定具が、
前記第１の係止め部と前記第２の係止め部の間隔で設けられる請求項１又は請求項２に記載の照明装置。
【請求項５】
面状の第１の発光体と、
弾性を備え、互いに対向して配置された第１の固定具と第２の固定具と、
前記第１の発光体を駆動する電源回路と、
開閉器と、を有し、
前記第１の発光体は、有機ＥＬ素子と、第１の係止め部と、第２の係止め部と、を有し、
前記有機ＥＬ素子は、第１の電極と第２の電極の間に発光性の有機物を含む層を有し、
前記第１の係止め部は前記有機ＥＬ素子の第１の電極と電気的に接続された第１の端子を有し、
前記第２の係止め部は前記有機ＥＬ素子の第２の電極と電気的に接続された第２の端子を有し、
前記第１の端子が前記第１の固定具に設けた第１の接点と電気的に接続するように前記第１の係止め部を前記第１の固定具に係止め、
前記第２の端子が前記第２の固定具に設けた第２の接点と電気的に接続するように前記第２の係止め部を前記第２の固定具に係止め、
前記第１の固定具と前記第２の固定具に支持された前記第１の発光体が、前記開閉器に検知され、
前記電源回路が前記第１の接点及び第２の接点に電力を供給可能にし、
前記第１の固定具が前記第１の発光体に隣接する第２の発光体の係止め部を係止める固定具を備えた照明装置。
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
励起光を発生する光源と、
上記光源から発生した励起光が照射されることにより蛍光を発生する発光体と、
上記発光体から発生した蛍光を外部に投光する光学系と、を備え、
上記光学系の少なくとも一部に、酸化チタン、ホウ素をドープした酸化チタン、および、ニッケルをドープした酸化チタンから選択される少なくとも１の化合物がコーティングされていることを特徴とする発光装置。
【請求項２】
励起光を発生する光源と、
上記光源から発生した励起光が照射されることにより蛍光を発生する発光体と、
上記光源から発生した励起光を透過または反射する光学系と、を備え、
上記光学系の少なくとも一部に、酸化チタン、ホウ素をドープした酸化チタン、および、ニッケルをドープした酸化チタンから選択される少なくとも１の化合物がコーティングされていることを特徴とする発光装置。
【請求項３】
上記光源から発生する励起光の波長が、３４０ｎｍ以上４５０ｎｍ以下であることを特徴とする請求項１または２に記載の発光装置。
【請求項４】
上記光源が、レーザダイオードであることを特徴とする請求項１から３までのいずれか１項に記載の発光装置。
【請求項５】
上記光学系として、上記発光体から発生した蛍光を外部に投光する投影レンズを備え、
上記投影レンズの表面の少なくとも一部に上記化合物がコーティングされていることを特徴とする請求項１に記載の発光装置。
【請求項６】
上記光学系として、反射鏡を備え、
上記反射鏡の反射面の少なくとも一部に上記化合物がコーティングされていることを特徴とする請求項１に記載の発光装置。
【請求項７】
上記光学系として、上記光源から発生した励起光を上記発光体へ導くための導光部材を備え、
上記導光部材の表面の少なくとも一部に上記化合物がコーティングされていることを特徴とする請求項２に記載の発光装置。
【請求項８】
上記導光部材は、上記発光体に照射される励起光のスポットの面積を調整するレンズであることを特徴とする請求項７に記載の発光装置。
【請求項９】
上記発光体の表面の少なくとも一部に上記化合物がコーティングされていることを特徴とする請求項１から８までのいずれか１項に記載の発光装置。
【請求項１０】
上記発光体に含まれる蛍光体の濃度が、１ｖｏｌ％以上３０ｖｏｌ％以下であり、上記発光体の上記励起光の照射方向に沿う厚さが、０．０３ｍｍ以上３ｍｍ以下であることを特徴とする請求項１から９までのいずれか１項に記載の発光装置。
【請求項１１】
上記光学系として、上記発光体の内部を透過する励起光の一部を反射する反射板を備え、
上記発光体は、上記反射板によって支持されていることを特徴とする請求項２に記載の発光装置。
【請求項１２】
上記発光体に含まれる蛍光体の濃度が、１ｖｏｌ％以上３０ｖｏｌ％以下であり、上記発光体の上記励起光の照射方向に沿う厚さが、０．０１５ｍｍ以上１．５ｍｍ以下であることを特徴とする請求項１１に記載の発光装置。
【請求項１３】
上記発光体の表面の、上記励起光に対する反射率が、０．０３以上０．５以下であることを特徴とする請求項１１または１２に記載の発光装置。
【請求項１４】
上記発光体の励起光が照射される光照射面に対して、上記励起光は、Ｐ偏光であり、
上記発光体の上記光照射面に対する上記励起光の入射角が、ブリュースター角でないことを特徴とする請求項１１から１３までのいずれか１項に記載の発光装置。
【請求項１５】
上記発光体の励起光が照射される光照射面に対して、上記励起光は、Ｓ偏光であることを特徴とする請求項１１から１３までのいずれか１項に記載の発光装置。
【請求項１６】
請求項１から１５までのいずれか１項に記載の発光装置を備えていることを特徴とする車両用前照灯。
【請求項１７】
請求項１から１５までのいずれか１項に記載の発光装置を備えていることを特徴とする照明装置。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
複数のアンテナを持つ第一の通信装置であって、
第二の通信装置から通知される、第二の通信装置からの信号の到来角の情報と補正情報とに基づいて、前記第二の通信装置の伝搬路状態を算出する伝搬路状態算出部を有することを特徴とする通信装置。
【請求項２】
前記補正情報は、前記到来角に基づいて決まる応答ベクトルと前記伝搬路状態との間の誤差に基づく情報を含むことを特徴とする請求項１に記載の通信装置。
【請求項３】
前記伝搬路状態算出部は、
前記到来角を取得する到来角取得部と、
前記到来角に基づいて、前記第一の通信装置と前記第二の通信装置の間の伝搬路に対応する応答ベクトルを算出する第一応答ベクトル算出部と、
前記補正情報を取得する補正情報取得部と、
前記補正情報と前記到来角に基づいて新たな応答ベクトルを算出する第二応答ベクトル算出部と、
を有することを特徴とする請求項２に記載の通信装置。
【請求項４】
前記第二応答ベクトル算出部で算出する応答ベクトルは、前記第一応答ベクトル算出部で算出した応答ベクトルに、少なくとも、前記係数と前記一次誤差ベクトルを乗算したベクトルを加算して算出することを特徴とする請求項３に記載の通信装置。
【請求項５】
複数のアンテナを持つ第一の通信装置と通信する第二の通信装置であって、
前記第一の通信装置における、前記第二の通信装置からの信号の到来角に基づいて補正情報を生成するフィードバック情報生成部と、
前記補正情報を前記第一の通信装置に通知する送信部とを有することを特徴とする通信装置。
【請求項６】
前記送信部は、さらに前記到来角に関連付けられた情報を前記第一の通信装置に通知することを特徴とする、請求項５に記載の通信装置。
【請求項７】
前記補正情報は、前記到来角に基づいて決まる応答ベクトルと、前記第一の端末装置と前記第二の端末装置との間の伝搬路状態との誤差に基づく情報を含むことを特徴とする請求項６に記載の通信装置。
【請求項８】
前記フィードバック情報生成部は、
前記到来角を取得する到来角取得部と、
前記到来角に基づいて、前記伝搬路状態に対応する応答ベクトルを算出する第一応答ベクトル算出部と、
前記第一応答ベクトル算出部で算出した前記応答ベクトルと、前記伝搬路状態からの誤差を算出する残留誤差算出部と、
前記到来角に基づいて一次誤差ベクトルを算出する一次誤差ベクトル算出部と、
前記残留誤差算出部と前記一次誤差ベクトル算出部とに基づいて一次係数を算出する一次係数算出部と、
前記一次係数に基づいて前記補正情報を生成する補正情報生成部と、
を有することを特徴とする請求項７に記載の通信装置。
【請求項９】
複数のアンテナを持つ第一の通信装置におけるプロセッサであって、
第二の端末装置から通知される、前記第一の通信装置における前記第二の通信装置からの信号の到来角の情報と補正情報とに基づいて前記第二の通信装置の伝搬路状態を算出する伝搬路状態算出部を有することを特徴とするプロセッサ。
【請求項１０】
複数のアンテナを持つ第一の通信装置と通信する第二の通信装置におけるプロセッサであって、
前記第一の通信装置における前記第二の通信装置からの信号の到来角の情報と、前記到来角に基づいて決まる補正情報を前記第一の通信装置に通知する送信部を有することを特徴とするプロセッサ。
【手続補正２】
【補正対象書類名】明細書
【補正対象項目名】００６０
【補正方法】変更
【補正の内容】
【００６０】
ここで、角度θを、到来角θとθ＝−２πｓｉｎφで関係付けられる角度と定義し、説明の便宜上、到来角φを角度θに変数変換して説明する。一次誤差ベクトル算出部４４は、まず、角度θ０（＝−２πｓｉｎφ０）を算出する。その後、ｆ（φ）においてφをθ（＝−２πｓｉｎφ）に変数変換した関数Ｆ（θ）（＝[１  ｅｘｐ（ｊπθ）  ｅｘｐ（２ｊπθ）  ｅｘｐ（３ｊπθ）］ｔ）をθで微分した式
F'(θ)=[0 jπ・exp(jπθ) 2jπexp(2jπθ) 3jπexp(3jπθ)]t    （４）
に対して、θ０（＝−２πｓｉｎφ０）を代入し、Ｆ’（θ０）を算出する。Ｆ’（θ０）を一次誤差ベクトルと呼ぶ。一次誤差ベクトル算出部４４は当該一次誤差ベクトルを一次係数算出部４６に入力する。
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
データを通信する通信装置において、
少なくとも画像データを記憶する記憶手段と、
デジタルカメラと接続する接続手段と、
前記接続手段により接続されたデジタルカメラとの間で通信を行う接続通信手段と、
前記接続手段による接続とは異なる回線を介して通信を行う通信手段と、
前記通信手段による通信の相手を予め設定する機能或いは指定により設定する機能の一方又は両方を有する設定手段と、
送信開始要求を受け付ける送信開始要求受け付け手段と、
前記送信開始要求受け付け手段により前記送信開始要求が受け付けられたことに応じて、印刷対象の画像データの受信待ちの状態になり、前記設定手段により設定された相手先に対して前記通信手段により通信回線を接続するとともに、前記デジタルカメラから出力される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する制御手段と、
を備えたことを特徴とする通信装置。
【請求項２】
データを通信する通信装置において、
少なくとも画像データを記憶する記憶手段と、
デジタルカメラと接続する接続手段と、
前記接続手段により接続されたデジタルカメラとの間で通信を行う接続通信手段と、
前記接続手段による接続とは異なる回線を介して通信を行う通信手段と、
前記通信手段による通信の相手を予め設定する機能或いは指定により設定する機能の一方又は両方を有する通信相手設定手段と、
前記接続手段により接続されたデジタルカメラに対する撮影指令を含む制御信号の送信を設定する撮影設定手段と、
前記撮影設定手段により前記制御信号の送信が設定された場合に、前記デジタルカメラに前記制御信号を送信し、前記設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する制御手段と、
を備えたことを特徴とする通信装置。
【請求項３】
前記接続手段により接続されたデジタルカメラに対して前記制御信号を送信する間隔を設定する撮影間隔設定手段を備え、
前記制御手段は、前記撮影間隔設定手段により設定された間隔毎に、前記デジタルカメラに前記制御信号を送信し、前記設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信することを特徴とする、請求項２記載の通信装置。
【手続補正２】
【補正対象書類名】明細書
【補正対象項目名】００１１
【補正方法】変更
【補正の内容】
【００１１】
上記目的を達成するため、本発明では、データを通信する通信装置において、次のような構成とした。
すなわち、記憶手段が、少なくとも画像データを記憶する。接続手段が、デジタルカメラと接続する。接続通信手段が、前記接続手段により接続されたデジタルカメラとの間で通信を行う。通信手段が、前記接続手段による接続とは異なる回線を介して通信を行う。設定手段が、前記通信手段による通信の相手を予め設定する機能或いは指定により設定する機能の一方又は両方を有する。送信開始要求受け付け手段が、送信開始要求を受け付ける。制御手段が、前記送信開始要求受け付け手段により前記送信開始要求が受け付けられたことに応じて、印刷対象の画像データの受信待ちの状態になり、前記設定手段により設定された相手先に対して前記通信手段により通信回線を接続するとともに、前記デジタルカメラから出力される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する。
従って、例えば、ＰＣ等を使用せずに、デジタルカメラで撮影した画像のデータを送信することができる
また、上記目的を達成するため、本発明では、データを通信する通信装置において、次のような構成とした。
すなわち、データを通信する通信装置において、少なくとも画像データを記憶する記憶手段と、デジタルカメラと接続する接続手段と、前記接続手段により接続されたデジタルカメラとの間で通信を行う接続通信手段と、前記接続手段による接続とは異なる回線を介して通信を行う通信手段と、前記通信手段による通信の相手を予め設定する機能或いは指定により設定する機能の一方又は両方を有する通信相手設定手段と、前記接続手段により接続されたデジタルカメラに対する撮影指令を含む制御信号の送信を設定する撮影設定手段と、前記撮影設定手段により前記制御信号の送信が設定された場合に、前記デジタルカメラに前記制御信号を送信し、前記設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する制御手段と、を備える。
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
記録媒体上の同一領域を同一色材により複数回記録走査することにより画像を形成するための色材データを生成する画像処理装置であって、
前記同一領域内の注目画素に対応する画像データを有色色材の色材量に対応する色材データに変換する変換手段と、
前記注目画素における前記記録走査各々の記録比率を定めた第一の記録比率により無色色材の色材量に対応する色材データを生成し、前記注目画素の周辺画素における前記記録走査各々の記録比率を定めた、前記第一の記録比率とは異なる第二の記録比率により無色色材の色材量に対応する色材データを生成する生成手段と
を有することを特徴とする画像処理装置。
【請求項２】
乱数を発生させる乱数発生手段と、
前記記録走査各々における記録比率が異なる複数のマスクパターンを保持する保持手段とをさらに有し、
前記生成手段は、前記乱数に応じて前記複数のマスクパターンから少なくとも２つのマスクパターンを選択し、該選択したマスクパターンにより前記色材データを生成することを特徴とする請求項１に記載の画像処理装置。
【請求項３】
前記複数のマスクパターンは、前記記録走査の回数に応じて記録比率が単調増加するマスクパターンと単調減少するマスクパターンとを含むことを特徴とする請求項２に記載の画像処理装置。
【請求項４】
乱数を発生させる乱数発生手段と、
前記生成手段は、前記乱数に応じて、前記記録走査各々における記録比率が異なる複数のマスクパターンを生成し、該生成したマスクパターンにより前記有色色材の色材量に対応する色材データを生成することを特徴とする請求項１に記載の画像処理装置。
【請求項５】
前記有色色材の色材量に対応する色材データの前記注目画素における前記記録走査各々の記録比率は同一であることを特徴とする請求項１乃至請求項３の何れか一項に記載の画像処理装置。
【請求項６】
前記第一の記録比率は前記記録走査各々において同一の記録比率であり、前記第二の記録比率は前記記録走査各々において異なる記録比率であることを特徴とする請求項１乃至請求項４の何れか一項に記載の画像処理装置。
【請求項７】
前記色材データを用いて画像を形成する画像形成手段を更に有することを特徴とする請求項１乃至請求項６の何れか一項に記載の画像処理装置。
【請求項８】
記録媒体上の同一領域を同一色材により複数回記録走査することにより画像を形成するための色材データを生成する画像処理方法であって、
前記同一領域内の注目画素に対応する画像データを有色色材の色材量に対応する色材データに変換する変換工程と、
前記注目画素における前記記録走査各々の記録比率を定めた第一の記録比率により無色色材の色材量に対応する色材データを生成し、前記注目画素の周辺画素における前記記録走査各々の記録比率を定めた、前記第一の記録比率とは異なる第二の記録比率により無色色材の色材量に対応する色材データを生成する生成工程と
を有することを特徴とする画像処理方法。
【請求項９】
コンピュータを、請求項１乃至請求項７の何れか一項に記載された画像処理装置の各手段として機能させることを特徴とするプログラム。
【手続補正２】
【補正対象書類名】明細書
【補正対象項目名】００１４
【補正方法】変更
【補正の内容】
【００１４】
上記課題を解決するために、本発明に係る画像処理装置は、記録媒体上の同一領域を同一色材により複数回記録走査することにより画像を形成するための色材データを生成する画像処理装置であって、前記同一領域内の注目画素に対応する画像データを有色色材の色材量に対応する色材データに変換する変換手段と、前記注目画素における前記記録走査各々の記録比率を定めた第一の記録比率により無色色材の色材量に対応する色材データを生成し、前記注目画素の周辺画素における前記記録走査各々の記録比率を定めた、前記第一の記録比率とは異なる第二の記録比率により無色色材の色材量に対応する色材データを生成する生成手段とを有する。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
貫通孔が設けられた基板へ金属を充填することによって形成される貫通電極基板の製造方法であって、
前記貫通孔が設けられた基板と導電層を有する基板とが結合された基板を用意する工程と、
前記導電層から通電して前記貫通孔内の一部に第１のめっき層を形成する工程と、
前記第１のめっき層上に第２のめっき層を形成する工程と、
を含むことを特徴とする貫通電極基板の製造方法。
【請求項２】
前記第２のめっき層は前記第１のめっき層に対してエッチング選択性を有することを特徴とする請求項１に記載の貫通電極基板の製造方法。
【請求項３】
前記第１のめっき層をエッチング除去する工程と、
前記第１のめっき層がエッチング除去された孔内に、前記第２のめっき層から通電して第３のめっき層を形成する工程と、
を更に含むことを特徴とする請求項２に記載の貫通電極基板の製造方法。
【請求項４】
前記第１のめっき層が銅またはニッケルのめっき層であることを特徴とする請求項１から３の何れか１項に記載の貫通電極基板の製造方法。
【請求項５】
前記第２のめっき層と、前記第１のめっき層がエッチング除去された孔内に前記第２のめっき層から通電して形成される前記第３のめっき層と、が同一もしくは異なった金属のめっき層で、金、白金、パラジウム、ルテニウム、イリジウムの何れかのめっき層であることを特徴とする請求項３または４に記載の貫通電極基板の製造方法。
【請求項６】
部材の貫通孔内への金属充填方法であって、
前記貫通孔の一端に導電層を配する工程と、
前記導電層から通電して前記貫通孔内の一部に第１のめっき層を形成する工程と、
前記第１のめっき層上に第２のめっき層を形成する工程と、
を含むことを特徴とする金属充填方法。
【請求項７】
貫通孔が設けられた基板の貫通孔内の一部に形成されためっき層と、
前記めっき層上に積層された別のめっき層と、
を有することを特徴とする貫通電極基板。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
フィルム貼付方法であって、
第１面及び該第１面の反対側の第２面を有する物体と、該物体の該第１面よりも大きな表面を有し、可撓性を有するフィルムと、該フィルムの外周縁に沿って配置可能な形状及び寸法を有し、該フィルムよりも高い剛性を有するフレーム部材と、液状接着剤とを用意するステップと、
前記物体の前記第１面又は前記フィルムの前記表面に前記液状接着剤を配置するステップと、
前記フィルムの前記外周縁に沿って前記フレーム部材を固定するステップと、
前記物体と前記フィルムとを、前記第１面と前記表面とが互いに対向するとともに前記フィルムの前記外周縁に沿った領域が前記物体の外側に張り出す相対位置に配置して、前記第１面と前記表面との双方を前記液状接着剤に接触させるステップと、
前記液状接着剤を固化させて、前記物体の前記第１面に前記フィルムを固着させるステップと、
を含むフィルム貼付方法。
【請求項２】
前記フレーム部材を固定するステップは、前記フィルムに張力を加えた状態で前記外周縁に沿って前記フレーム部材を固定するステップを含む、請求項１に記載のフィルム貼付方法。
【請求項３】
前記液状接着剤を固化させるステップの前に、前記第１面と前記表面との双方を前記液状接着剤に接触させた状態で、前記フレーム部材を前記物体に対して固定的に支持しながら前記物体と前記フィルムとを同軸配置で回転させて、前記第１面と前記表面との間に前記液状接着剤を行き渡らせるステップをさらに含む、請求項１に記載のフィルム貼付方法。
【請求項４】
フィルム貼付方法であって、
第１面及び該第１面の反対側の第２面を有する物体と、可撓性を有するフィルムと、液状接着剤とを用意するステップと、
前記物体の前記第１面又は前記フィルムの表面に前記液状接着剤を配置するステップと、
前記物体と前記フィルムとを、前記第１面と前記表面とが互いに対向する相対位置に配置して、前記第１面と前記表面との双方を前記液状接着剤に接触させるステップと、
前記第１面と前記表面との双方を前記液状接着剤に接触させた状態で、前記フィルムを前記物体に対して固定的に支持しながら前記物体と前記フィルムとを同軸配置で回転させて、前記第１面と前記表面との間に前記液状接着剤を行き渡らせるステップと、
前記液状接着剤を固化させて、前記物体の前記第１面に前記フィルムを固着させるステップと、
を含むフィルム貼付方法。
【請求項５】
裏面研削方法であって、
請求項１に記載のフィルム貼付方法によって前記物体の前記第１面に前記フィルムを固着させるステップと、
前記第１面に前記フィルムを固着させた前記物体を前記フレーム部材の内側で固定的に支持した状態で、前記第２面を研削するステップと、
を含む裏面研削方法。
【請求項６】
半導体チップの作製方法であって、
請求項５に記載の裏面研削方法によって、前記第１面が回路面であるウエハからなる前記物体の前記第２面を研削するステップを含む、
作製方法。
【請求項７】
請求項４に記載のフィルム貼付方法を実施するためのフィルム貼付装置であって、
前記第１面と前記表面との双方を前記液状接着剤に接触させた状態で、前記フレーム部材を前記物体に対して固定的に支持するフレーム支持部と、
前記フレーム支持部が前記フレーム部材を前記物体に対して固定的に支持した状態で、前記物体と前記フィルムとを同軸配置で回転させる駆動部と、
を具備するフィルム貼付装置。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
画素の挿抜を実行することで画像の変倍を行う画像処理装置であって、
変倍方向に直交する方向の第１の位置に対する第１の挿抜位置を決定する第１の決定手段と、
前記決定された第１の挿抜位置と、前記変倍方向の第１の所定の距離と、前記変倍方向の第２の所定の距離と、を用いて、前記決定された第１の挿抜位置に対して前記第１および第２の所定の距離によって定まる所定の範囲内に、前記直交する方向の第２の位置に対する第２の挿抜位置を決定する第２の決定手段と、
前記決定された第１および第２の挿抜位置に基づいて、画素の挿抜を前記画像に対して実行する挿抜手段と、
を有することを特徴とする画像処理装置。
【請求項２】
前記直交する方向の第１および第２の位置それぞれは、前記直交する方向における画素の位置に対応し、
前記変倍方向の第１および第２の所定の距離それぞれの単位は、画素である請求項１の画像処理装置。
【請求項３】
前記第１の決定手段は、前記第１の位置において前記変倍方向に所定の数連続して並ぶ複数の画素のうちの１つの画素の位置を、前記第１の挿抜位置として決定し、
前記第２の決定手段は、前記第２の位置において前記変倍方向に所定の数連続して並ぶ複数の画素のうちの１つの画素の位置を、前記第２の挿抜位置として決定することを特徴とする請求項１または２の画像処理装置。
【請求項４】
前記第１の画素列と前記第２の画素列とは、前記直交する方向で互いに隣接することを特徴とする請求項３の画像処理装置。
【請求項５】
前記所定の範囲の両端の位置のうちの前記第１の挿抜位置に近い位置は、前記第１の所定の距離によって定まり、前記所定の範囲の両端の位置のうちの前記第１の挿抜位置から遠い位置は、前記第２の所定の距離によって定まることを特徴とする請求項１乃至４の何れか１の画像処理装置。
【請求項６】
画素の挿抜における挿入処理は、前記第１の決定手段および前記第２の決定手段によって決定された挿抜位置の画素を、前記画像に挿入する処理であり、
画素の挿抜における間引き処理は、前記第１の決定手段および前記第２の決定手段によって決定された挿抜位置の画素を、前記画像から間引く処理であることを特徴とする請求項１乃至５の何れか１の画像処理装置。
【請求項７】
前記挿抜手段による画素の挿抜が行われた画像を印刷する印刷手段をさらに有する請求項１乃至６の何れか１項の画像処理装置。
【請求項８】
乱数を生成する生成手段を有し、
前記第２の決定手段は、前記所定の範囲内の前記生成された乱数に対応する位置を、前記第２の挿抜位置として決定する請求項１乃至７の何れか１項の画像処理装置。
【請求項９】
前記生成手段は、乱数を生成する関数に従って乱数を生成することを特徴とする請求項８の画像処理装置。
【請求項１０】
前記第１および第２の所定の距離は、前記挿抜手段による画素の挿抜が行われた画像が印刷される用紙種に関する情報に従って決まることを特徴とする請求項１乃至９の何れか１の画像処理装置。
【請求項１１】
前記情報は、前記用紙種を特定するために用いられる情報であることを特徴とする請求項１０の画像処理装置。
【請求項１２】
前記第１および第２の所定の距離は、前記画像の面内情報に従って決まることを特徴とする請求項１乃至９の何れか１の画像処理装置。
【請求項１３】
前記第２の決定手段は、前記第２の位置を含むＮ個の前記直交する方向の位置に対する挿抜位置を、当該Ｎ個の挿抜位置の前記変倍方向における位置が前記第２の挿抜位置の前記変倍方向における位置と同じになるように決定することを特徴とする請求項１乃至９の何れか１の画像処理装置。
【請求項１４】
前記Ｎは、前記挿抜手段による画素の挿抜が行われた画像が印刷される用紙種に関する情報に従って決まることを特徴とする請求項１３の画像処理装置。
【請求項１５】
前記Ｎは、前記画像の面内情報に従って決まることを特徴とする請求項１３の画像処理装置。
【請求項１６】
画素の挿抜を実行することで画像の変倍を行う画像処理方法であって、
変倍方向に直交する方向の第１の位置に対する第１の挿抜位置を決定する第１の決定工程と、
前記決定された第１の挿抜位置と、前記変倍方向の第１の所定の距離と、前記変倍方向の第２の所定の距離と、を用いて、前記決定された第１の挿抜位置に対して前記第１および第２の所定の距離によって定まる所定の範囲内に、前記直交する方向の第２の位置に対する第２の挿抜位置を決定する第２の決定工程と、
前記決定された第１および第２の挿抜位置に基づいて、画素の挿抜を前記画像に対して実行する挿抜工程と、
を有することを特徴とする画像処理方法。
【請求項１７】
請求項１乃至１５の何れか１の各手段としてコンピュータを機能させるためのプログラム。
【手続補正２】
【補正対象書類名】明細書
【補正対象項目名】００１２
【補正方法】変更
【補正の内容】
【００１２】
上記課題を解決するため、本発明の画像処理装置は、画素の挿抜を実行することで画像の変倍を行う画像処理装置であって、変倍方向に直交する方向の第１の位置に対する第１の挿抜位置を決定する第１の決定手段と、前記決定された第１の挿抜位置と、前記変倍方向の第１の所定の距離と、前記変倍方向の第２の所定の距離と、を用いて、前記決定された第１の挿抜位置に対して前記第１および第２の所定の距離によって定まる所定の範囲内に、前記直交する方向の第２の位置に対する第２の挿抜位置を決定する第２の決定手段と、前記決定された第１および第２の挿抜位置に基づいて、画素の挿抜を前記画像に対して実行する挿抜手段と、を有することを特徴とする。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
共通出力線と、
光電変換素子により光電変換された信号を前記共通出力線に出力するセンサセル部と、
前記共通出力線に接続され、前記共通出力線の信号を転送容量に蓄積して転送する転送回路部と、
前記共通出力線に接続された第１メモリセル部と、
前記共通出力線に接続された第２メモリセル部と、
前記共通出力線に接続された第３メモリセル部とを有し、
前記第１メモリセル部は、前記光電変換素子、前記転送回路部、前記第１メモリセル部、前記第２メモリセル部及び前記第３メモリセル部のリセットに起因するリセットノイズ信号を保持し、
前記第３メモリセル部は、前記第１メモリセル部に保持され、前記第１メモリセル部から出力されたリセットノイズ信号を保持し、
前記第２メモリセル部は、前記第３メモリセル部に保持され、前記第３メモリセル部から出力されたリセットノイズ信号を保持し、
前記転送回路部は、前記第２メモリセル部に保持され、前記第２メモリセル部から出力されたリセットノイズ信号と前記センサセル部が出力する信号とが加算された信号を保持することを特徴とする光電変換装置。
【請求項２】
前記センサセル部は、低感度モード及び高感度モードを切り換えるための感度切換部を有し、
前記第１メモリセル部は、前記低感度モードにおいて、前記光電変換素子、前記転送回路部、前記第１メモリセル部、前記第２メモリセル部及び前記第３メモリセル部のリセットに起因するリセットノイズ信号を保持し、
前記第２メモリセル部及び第３メモリセル部は、前記高感度モードにおいて、前記光電変換素子、前記転送回路部、前記第１メモリセル部、前記第２メモリセル部及び前記第３メモリセル部のリセットに起因するリセットノイズ信号を保持し、
前記低感度モードでは、前記第３メモリセル部は、前記第１メモリセル部に保持され、前記第１メモリセル部から出力されたリセットノイズ信号を保持し、その後、前記第２メモリセル部は、前記第３メモリセル部から出力された前記リセットノイズ信号を保持することを特徴とする請求項１記載の光電変換装置。
【請求項３】
前記第１メモリセル部、前記第２メモリセル部及び前記第３メモリセル部の増幅ゲインは−１であることを特徴とする請求項１又は２記載の光電変換装置。
【請求項４】
前記第２メモリセル部は、前記転送回路部の前記転送容量に保持された加算信号を保持することを特徴とする請求項１〜３のいずれか１項に記載の光電変換装置。
【請求項５】
請求項１〜４のいずれか１項に記載の光電変換装置と、
前記光電変換装置に光像を結像させるためのレンズと
を有することを特徴とするカメラシステム。
【請求項６】
共通出力線と、
光電変換素子により光電変換された信号を前記共通出力線に出力するセンサセル部と、
前記共通出力線に接続され、前記共通出力線の信号を転送容量に蓄積して転送する転送回路部と、
前記共通出力線に接続された第１メモリセル部と、
前記共通出力線に接続された第２メモリセル部と、
前記共通出力線に接続された第３メモリセル部とを有する光電変換装置の駆動方法であって、
前記第１メモリセル部により、前記光電変換素子、前記転送回路部、前記第１メモリセル部、前記第２メモリセル部及び前記第３メモリセル部のリセットに起因するリセットノイズ信号を保持し、
前記第３メモリセル部により、前記第１メモリセル部に保持され、前記第１メモリセル部から出力されたリセットノイズ信号を保持し、
前記第２メモリセル部により、前記第３メモリセル部に保持され、前記第３メモリセル部から出力されたリセットノイズ信号を保持し、
前記転送回路部により、前記第２メモリセル部に保持され、前記第２メモリセル部から出力されたリセットノイズ信号と前記センサセル部が出力する信号とが加算された信号を保持することを特徴とする光電変換装置の駆動方法。
【手続補正２】
【補正対象書類名】明細書
【補正対象項目名】発明の名称
【補正方法】変更
【補正の内容】
【発明の名称】光電変換装置、カメラシステム及び光電変換装置の駆動方法
【手続補正３】
【補正対象書類名】明細書
【補正対象項目名】０００１
【補正方法】変更
【補正の内容】
【０００１】
本発明は、光電変換装置、カメラシステム及び光電変換装置の駆動方法に関する。
【手続補正４】
【補正対象書類名】明細書
【補正対象項目名】０００８
【補正方法】変更
【補正の内容】
【０００８】
本発明の目的は、少ないメモリセル部の数で焦点検出を行うことができる光電変換装置、カメラシステム及び光電変換装置の駆動方法を提供することである。
【手続補正５】
【補正対象書類名】明細書
【補正対象項目名】０００９
【補正方法】変更
【補正の内容】
【０００９】
本発明の光電変換装置は、共通出力線と、光電変換素子により光電変換された信号を前記共通出力線に出力するセンサセル部と、前記共通出力線に接続され、前記共通出力線の信号を転送容量に蓄積して転送する転送回路部と、前記共通出力線に接続された第１メモリセル部と、前記共通出力線に接続された第２メモリセル部と、前記共通出力線に接続された第３メモリセル部とを有し、前記第１メモリセル部は、前記光電変換素子、前記転送回路部、前記第１メモリセル部、前記第２メモリセル部及び前記第３メモリセル部のリセットに起因するリセットノイズ信号を保持し、前記第３メモリセル部は、前記第１メモリセル部に保持され、前記第１メモリセル部から出力されたリセットノイズ信号を保持し、前記第２メモリセル部は、前記第３メモリセル部に保持され、前記第３メモリセル部から出力されたリセットノイズ信号を保持し、前記転送回路部は、前記第２メモリセル部に保持され、前記第２メモリセル部から出力されたリセットノイズ信号と前記センサセル部が出力する信号とが加算された信号を保持することを特徴とする。
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
第１の色の光を受光する第１のフォトダイオードと、
前記第１のフォトダイオードの第１の方向の隣に配置され、第２の色の光を受光する第
２のフォトダイオードと、
前記第２のフォトダイオードの第２の方向の隣に配置され、前記第１の色の光を受光す
る第３のフォトダイオードと、
前記第３のフォトダイオードの前記第１の方向の隣に配置され、第３の色の光を受光す
る第４のフォトダイオードと、
前記第１及び第２のフォトダイオードにおいて発生した電荷を排出させる第１のリセッ
トトランジスターと、
前記第３及び第４のフォトダイオードにおいて発生した電荷を排出させる第２のリセッ
トトランジスターと、
を具備し、
前記第１のフォトダイオードの受光部の面積と前記第３のフォトダイオードの受光部の
面積との差が、
前記第１のフォトダイオードの受光部の面積と前記第２のフォトダイオードの受光部の
面積との差より小さく、かつ
前記第３のフォトダイオードの受光部の面積と前記第４のフォトダイオードの受光部の
面積との差より小さい固体撮像装置。
【請求項２】
請求項１において、
前記第１のフォトダイオードの受光部の面積と前記第３のフォトダイオードの受光部の
面積が同じである固体撮像装置。
【請求項３】
請求項１又は２において、
前記第１のフォトダイオードの受光部の形状と前記第３のフォトダイオードの受光部の
形状が同じである固体撮像装置。
【請求項４】
請求項１乃至３の何れか一項において、
前記第１のフォトダイオードの受光部の面積は、前記第２のフォトダイオードの受光部
の面積より小さく、かつ
前記第３のフォトダイオードの受光部の面積は、前記第４のフォトダイオードの受光部
の面積より小さい固体撮像装置。
【請求項５】
請求項１乃至４の何れか一項において、
前記第１の方向と前記第２の方向とは垂直である固体撮像素子。
【請求項６】
請求項１乃至５の何れか一項において、
前記第１のフォトダイオードの第３の方向に隣接して設けられ、前記第１のフォトダイ
オードにおいて発生した電荷に応じた変調信号を出力する第１の変調素子と、
前記第２のフォトダイオードの前記第３の方向に隣接して設けられ、前記第２のフォト
ダイオードにおいて発生した電荷に応じた変調信号を出力する第２の変調素子と、
前記第３のフォトダイオードの前記第３の方向に隣接して設けられ、前記第３のフォト
ダイオードにおいて発生した電荷に応じた変調信号を出力する第３の変調素子と、
前記第４のフォトダイオードの前記第３の方向に隣接して設けられ、前記第４のフォト
ダイオードにおいて発生した電荷に応じた変調信号を出力する第４の変調素子と、
をさらに具備し、
前記第１のリセットトランジスターは、前記第１の変調素子と前記第２の変調素子との
間に配置され、
前記第２のリセットトランジスターは、前記第３の変調素子と前記第４の変調素子との
間に配置された固体撮像装置。
【請求項７】
請求項６において、
前記第１のリセットトランジスターは、
前記第１の変調素子と隣接する第１のゲート電極と、
前記第２の変調素子と隣接する第２のゲート電極と、
前記第１のゲート電極と前記第２のゲート電極との間に配置された第１の共通ドレイン部
と、
を含み、
前記第２のリセットトランジスターは、
前記第３の変調素子と隣接する第３のゲート電極と、
前記第４の変調素子と隣接する第４のゲート電極と、
前記第３のゲート電極と前記第４のゲート電極との間に配置された第２の共通ドレイン部
と、
を含む固体撮像装置。
【請求項８】
請求項１乃至７の何れか一項において、
第１の色の光を前記第１のフォトダイオードに向けて透過させる第１の光透過部と、
第２の色の光を前記第２のフォトダイオードに向けて透過させる第２の光透過部と、
前記第１の色の光を前記第３のフォトダイオードに向けて透過させる第３の光透過部と、
第３の色の光を前記第４のフォトダイオードに向けて透過させる第４の光透過部と、
をさらに具備し、
前記第１〜第４の光透過部は、ベイヤー配列を有する固体撮像素子。